(57)【要約】【課題】  補聴器装用時における外耳道内の湿気を外部に排出することができる糸状の透湿性部材を容易にベントに挿通することができる補聴器における糸状透湿性部材の挿通方法を提供する。【解決手段】  補聴器１のシェル２に形成した外耳道３内から外部に通じるベント４に撚糸５を挿通する方法であって、先端５ａがテグス１１の一端１１ａに接着剤１２で接続された撚糸５を作製し、次いでテグス１１の他端１１ｂをベント４の外部側端部４ａに差し込み、テグス１１がベント４を貫通することにより、撚糸５がベント４に挿通される。【選択図】        図１
2005340913.tif 000002
【特許請求の範囲】
【請求項１】
補聴器のシェルに形成した外耳道内から外部に通じるベントに糸状の透湿性部材を挿通する方法であって、先端がテグスやワイヤなどの線状弾性部材の一端に接着剤で接続された前記糸状の透湿性部材を作製し、次いで前記線状弾性部材の他端をベントの端部から差し込み、前記線状弾性部材がベントを貫通することにより、前記糸状の透湿性部材がベントに挿通されることを特徴とする補聴器における糸状透湿性部材の挿通方法。
【請求項２】
補聴器のシェルに形成した外耳道内から外部に通じるベントに糸状の透湿性部材を挿通する方法であって、先端部を接着剤で固めた前記糸状の透湿性部材を作製し、次いで前記先端部をベントの端部から差し込み、前記先端部がベントを貫通することにより、前記糸状の透湿性部材がベントに挿通されることを特徴とする補聴器における糸状透湿性部材の挿通方法。
【発明の詳細な説明】
【技術分野】
【０００１】
本発明は、補聴器装用時における外耳道内の湿気をベントに挿通した糸状透湿性部材で外部に排出することができるようにした補聴器における糸状透湿性部材の挿通方法に関する。
【背景技術】
【０００２】
耳あな形補聴器においては、低域の調整、こもり感の低減や外耳道内の湿気を外部に排出するために、ベント（音漏れを一定に保つ通気孔）を設けることが知られている（例えば、特許文献１参照）。
【０００３】
【特許文献１】特表平８−５１１４１２号公報
【発明の開示】
【発明が解決しようとする課題】
【０００４】
しかし、特許文献１に記載のようなベントでは、高出力の補聴器や高域に高い利得を有する補聴器などの場合に、音が漏れてハウリングを誘発してしまう。
また、ハウリングを起こさせないためにベントを設けないと、外耳道内の湿度が上昇し、音口を塞いでしまうだけではなく、イヤホンの故障原因となる。
また、ハウリングを誘起しない程度の小径のベントを設けることもできるが、小径のため詰まり易く効果が十分でなかった。
【０００５】
本発明は、従来の技術が有するこのような問題点に鑑みてなされたものであり、その目的とするところは、補聴器装用時における外耳道内の湿気を外部に排出することができる糸状の透湿性部材を容易にベントに挿通することができる補聴器における糸状透湿性部材の挿通方法を提供しようとするものである。
【課題を解決するための手段】
【０００６】
上記課題を解決すべく請求項１に係る発明は、補聴器のシェルに形成した外耳道内から外部に通じるベントに糸状の透湿性部材を挿通する方法であって、先端がテグスやワイヤなどの線状弾性部材の一端に接着剤で接続された前記糸状の透湿性部材を作製し、次いで前記線状弾性部材の他端をベントの端部から差し込み、前記線状弾性部材がベントを貫通することにより、前記糸状の透湿性部材がベントに挿通されるものである。
【０００７】
請求項２に係る発明は、補聴器のシェルに形成した外耳道内から外部に通じるベントに糸状の透湿性部材を挿通する方法であって、先端部を接着剤で固めた前記糸状の透湿性部材を作製し、次いで前記先端部をベントの端部から差し込み、前記先端部がベントを貫通することにより、前記糸状の透湿性部材がベントに挿通されるものである。
【発明の効果】
【０００８】
以上説明したように請求項１に係る発明によれば、線状弾性部材により糸状の透湿性部材を容易にベントに挿通することができる。
【０００９】
請求項２に係る発明によれば、接着剤で固めた先端部により糸状の透湿性部材を容易にベントに挿通することができる。
【発明を実施するための最良の形態】
【００１０】
以下に本発明の実施の形態を添付図面に基づいて説明する。ここで、図１は本発明に係る糸状透湿性部材の挿通方法が適用される補聴器の要部断面図、図２は図１のＡ−Ａ線断面拡大図、図３はテグスに接続した撚糸の側面図、図４は先端部を接着剤で固めた撚糸の側面図、図５はベントをシリコンチューブで形成した場合の補聴器の要部断面図、図６は図５のＢ−Ｂ線断面拡大図である。
【００１１】
本発明に係る糸状透湿性部材の挿通方法が適用される補聴器は、図１及び図２に示すように、耳あな形補聴器１を構成するシェル２に外耳道３内から外部に通じるベント４を一体形成し、ベント４に透湿性のある撚糸５を通している。撚糸５の代わりに透湿性のある糸又は樹脂を用いることもできる。
【００１２】
撚糸５の径は、図２に示すように、ベント４の径に比較して小さくしているが、ベント４の径と同程度とし、撚糸５がベント４を閉塞しても構わない。また、ベント４の径に比較して小さい径を持つ撚糸５を複数本ベント４に通しても構わない。
【００１３】
また、ベント４の外部側端部４ａに、固定プラグ６が嵌合し、撚糸５を固定している。撚糸５は、ベント４の外部側端部４ａと外耳道側端部４ｂから僅かながら突出している。更に、外耳道３内と外部との通気孔を確保したい場合には、固定プラグ６の代わりに、貫通孔を有する有口プラグを用いることもできる。なお、７はマイクロホン、８は補聴処理部、９はイヤホン、１０はスイッチ類である。
【００１４】
撚糸５をベント４に挿通するには、図３（ａ）に示すように、テグス１１の一端１１ａに撚糸５の先端５ａを接着剤１２により接続したものを作製する。ここで、接続部１３の外径をテグス１１の外径及び撚糸５の外径よりも太くせず、且つ接続部１３の接着面を大きくするために、図３（ｂ）に示すように、接続部１３を形成するテグス１１の一端１１ａと撚糸５の先端５ａを夫々斜めに切断して接着剤１２により接続してもよい。なお、撚糸５の先端５ａに接続するものとしては、テグス１１に限らずワイヤなど線状弾性部材であればよい。
【００１５】
次に、本発明に係る補聴器における糸状透湿性部材の挿通方法の作業手順について説明する。
先ず、図３（ａ）に示す先端５ａをテグス１１の一端１１ａに接着剤１２で接続した撚糸５を作製する。また、図３（ｂ）に示すテグス１１の一端１１ａと撚糸５の先端５ａを夫々斜めに切断して接着剤１２で接続したものを作製してもよい。
【００１６】
次いで、撚糸５をベント４に挿通させるため、テグス１１の他端１１ｂをベント４の外部側端部４ａから差し込んでいく。すると、テグス１１の柔軟性により、テグス１１の他端１１ｂが、ベント４の形状に沿って進み、ベント４を貫通してベント４の外耳道側端部４ｂから突出する。
【００１７】
次いで、テグス１１の他端１１ｂを引っ張り出せば、撚糸５がベント４に円滑に挿通される。更に、撚糸５の末端５ｂがベント４の外部側端部４ａに近づくまで撚糸５を引っ張った後に、ベント４の外耳道側端部４ｂ近傍で撚糸５を切断し、撚糸５を図１に示す状態にする。なお、ベント４の外耳道側端部４ｂからテグス１１の他端１１ｂを差し込んで、ベント４の外部側端部４ａから突出するようにしてもよい。
【００１８】
このように、撚糸５をベント４に挿通した耳あな形補聴器１を装用者が外耳道３に挿入する。そして、装用中に外耳道３の壁面から生ずる汗や液状の分泌物などにより外耳道３内の湿度が上昇すると、ベント４の外耳道側端部４ｂから突出している透湿性のある撚糸５が、外耳道３内の湿気を吸収する。更に、吸収された湿気は、撚糸５を伝わってベント４の外部側端部４ａから突出している撚糸５から外部に排出される。このような動作が繰り返されて、補聴器装用中における外耳道３内の湿度は低下していく。
【００１９】
また、固定プラグ６の代わりに、貫通孔を有する有口プラグを用いれば、外耳道内の湿気を速やかに外部に排出する同時に、低域の調整やこもり感の低減を図ることができる。
【００２０】
撚糸５を交換する場合には、挿通してある撚糸５を抜いた後に、再度上述した作業を行うことによって、新たな撚糸５をベント４に挿通することができる。ベント４に挿通できる回数は、テグス１１の一端１１ａに接続する撚糸５の長さによって決まる。更に、ベント４の内径と撚糸５の外径との関係によっては、撚糸５を一重ではなく何重にもベント４に挿通することができる。
【００２１】
また、テグス１１の一端１１ａに撚糸５を接続する代わりに、図４に示すように、撚糸５の先端部５ｃを接着剤１２で固めて、テグス１１のようにすることもできる。
【００２２】
また、ベント４をシェル２と一体に形成するのではなく、図５及び図６に示すように、シリコン製のチューブ１５で形成し、チューブ１５をシェル２の内壁に沿って取り付けてもよい。ベント４が柔軟なチューブ１５で形成されても、撚糸５の先端５ａにテグス１１を接続したり、撚糸５の先端部５ｃを接着剤１２で固めたりすることにより、テグス１１が円滑にベント４を貫通し、撚糸５を容易にベント４に挿通することができる。
【産業上の利用可能性】
【００２３】
本発明は、糸状の透湿性部材を容易にベントに挿通することができるので、装用時における外耳道内の湿気を外部に排出することができるベントに糸状の透湿性部材を挿通した補聴器の使い勝手の向上に寄与する。
【図面の簡単な説明】
【００２４】
【図１】本発明に係る糸状透湿性部材の挿通方法が適用される補聴器の要部断面図
【図２】図１のＡ−Ａ線断面拡大図
【図３】テグスに接続した撚糸の側面図で、（ａ）は端部同士をそのまま接続した場合、（ｂ）は端部を夫々斜めに切断して接続した場合
【図４】先端部を接着剤で固めた撚糸の側面図
【図５】ベントをシリコンチューブで形成した場合の補聴器の要部断面図
【図６】図５のＢ−Ｂ線断面拡大図
【符号の説明】
【００２５】
１…耳あな形補聴器、２…シェル、３…外耳道、４…ベント、４ａ…外部側端部、４ｂ…外耳道側端部、５…撚糸、５ａ…先端、５ｂ…末端、５ｃ…先端部、６…固定プラグ、１１…テグス、１１ａ…一端、１１ｂ…他端、１２…接着剤、１３…接続部、１５…チューブ。
【図１】
2005340913.tif 000003
【図２】
2005340913.tif 000004
【図３】
2005340913.tif 000005
【図４】
2005340913.tif 000006
【図５】
2005340913.tif 000007
【図６】
2005340913.tif 000008